(57)【要約】【課題】プローブのケーブルが患者に接触し不快感を与えるのを防止する。【解決手段】操作装置（１）と処理装置（４）とを別体にすると共に、処理装置（４）を設置台（５）の上に載せるか又は床面（Ｆ）に置き、床面（Ｆ）から高さ１２０ｃｍ以上の位置に開口部（５ｂ）を設けて、その開口部（５ｂ）からプローブ（２）のケーブル（６）をケーブル収容空間（５ａ）に収容する。【効果】操作装置（１）の高さに左右されずに、処理装置（４）を載置台（５）の上に載せたり、処理装置（４）の背の高さを高くすることが出来るため、ベッド（Ｂ）に寝た患者より十分高い位置の開口部（５ｂ）からケーブル（６）を出入りさせることが可能になり、ケーブル（６）が患者に接触し不快感を与えるのを防止できる。【選択図】図１
2009056210.tif 000002
【特許請求の範囲】
【請求項１】
操作者が指示を入力するための操作装置（１）と、超音波の送受信を行うためのプローブ（２）と、超音波画像を表示するための画像表示装置（３）と、前記指示に基づいて前記プローブ（１）を駆動し得られた受信信号を基に前記超音波画像を作成し前記画像表示装置（３）に表示する制御を行うための処理装置（４）とを具備し、前記操作装置（１）は、前記処理装置（４）と別体であり、前記処理装置（４）は、設置台（５）の上に載っているか又は床面（Ｆ）に置かれ、前記処理装置（４）または前記設置台（５）の内部に前記プローブ（２）のケーブル（６）を収容するケーブル収容空間（５ａ）を設けると共に床面（Ｆ）から高さ１２０ｃｍ以上の位置に開口部（５ｂ）が設けられ、前記プローブ（２）のケーブル（６）は、前記開口部（５ｂ）から前記ケーブル収容空間（５ａ）に収容されていることを特徴とする超音波診断装置。
【請求項２】
請求項１に記載の超音波診断装置において、前記処理装置（４）の前記開口部（５ｂ）より上の位置にプローブコネクタ（９）が設けられていることを特徴とする超音波診断装置。
【請求項３】
請求項２に記載の超音波診断装置において、前記ケーブル（６）は、前記開口部（５ｂ）からＵ字状に曲がって前記ケーブル収容空間（５ａ）に収容されていることを特徴とする超音波診断装置。
【請求項４】
請求項３に記載の超音波診断装置において、動滑車（１０）が、前記ケーブル（６）のＵ字状の下端に掛けられていることを特徴とする超音波診断装置。
【請求項５】
請求項４に記載の超音波診断装置において、前記動滑車（１０）は、上下移動可能にレール（１２）に保持されていることを特徴とする超音波診断装置。
【請求項６】
操作者が指示を入力するための操作装置（１）と、超音波の送受信を行うためのプローブ（２）と、超音波画像を表示するための画像表示装置（３）と、前記指示に基づいて前記プローブ（１）を駆動し得られた受信信号を基に前記超音波画像を作成し前記画像表示装置（３）に表示する制御を行うための処理装置（４）とを具備し、前記処理装置（４）は、設置台（５）の上に載っているか又は床面（Ｆ）に置かれ、前記処理装置（４）または前記設置台（５）の内部に前記プローブ（２）のケーブル（６）を収容するケーブル収容空間（５ａ）が設けられ、前記ケーブル収容空間（５ａ）の開口部（５ｂ）より上の位置にプローブコネクタ（９）が設けられ、前記プローブ（２）のケーブル（６）は、前記開口部（５ｂ）からＵ字状に曲がって前記ケーブル収容空間（５ａ）に収容されており、前記ケーブル（６）のＵ字状の下端に動滑車（１０）が掛けられており、前記動滑車（１０）は上下移動可能にレール（１２）に保持されていることを特徴とする超音波診断装置。
【請求項７】
請求項４から請求項６のいずれかに記載の超音波診断装置において、前記動滑車（１０）は、重り（１１）により下向き付勢されていることを特徴とする超音波診断装置。
【請求項８】
請求項４から請求項７のいずれかに記載の超音波診断装置において、前記動滑車（１０）から前記ケーブル（６）が外れるのを防止するケーブルロック（１３）が設置されていることを特徴とする超音波診断装置。
【請求項９】
請求項８に記載の超音波診断装置において、前記ケーブルロック（１３）は、回動可能なレバー状部材からなることを特徴とする超音波診断装置。
【請求項１０】
請求項８または請求項９に記載の超音波診断装置において、前記処理装置（４）または前記載置台（５）の床面（Ｆ）から高さ１２０ｃｍ以下の部分に、上下スライドして内部にアクセス可能にするカバー（１４）を設けたことを特徴とする超音波診断装置。
【請求項１１】
請求項１０に記載の超音波診断装置において、前記ケーブルロック（１３）を解除した状態では前記動滑車（１０）に対して前記ケーブル（６）を着脱可能であることを特徴とする超音波診断装置。
【請求項１２】
請求項１０または請求項１１に記載の超音波診断装置において、前記レール（１２）の床面から高さ６０ｃｍ以上の位置で前記動滑車（１０）を止めるための動滑車ロック（１５）が設置されていることを特徴とする超音波診断装置。
【請求項１３】
請求項１２に記載の超音波診断装置において、前記動滑車ロック（１５）は、シーソー状に動いて姿勢を変えるシーソー状部材からなることを特徴とする超音波診断装置。
【請求項１４】
請求項１から請求項１３のいずれかに記載の超音波診断装置において、前記ケーブル収容空間（５ａ）への前記ケーブル（６）の出入りを止めるケーブルストッパ（７）が設けられていることを特徴とする超音波診断装置。
【請求項１５】
請求項１４に記載の超音波診断装置において、前記ケーブルストッパ（７）は、前記ケーブル（６）の外径より狭い隙間のスリット（７ａ）であることを特徴とする超音波診断装置。
【請求項１６】
請求項１から請求項１５のいずれかに記載の超音波診断装置において、前記開口部（５ｂ）に前記ケーブル（６）の下面に当たりうるローラ（８）が設けられていることを特徴とする超音波診断装置。
【請求項１７】
請求項１から請求項１６のいずれかに記載の超音波診断装置において、前記処理装置（４）または前記載置台（５）の床面（Ｆ）から高さ７０ｃｍ以下の部分の厚さが１０ｃｍ以下であることを特徴とする超音波診断装置。
【請求項１８】
請求項１から請求項１７のいずれかに記載の超音波診断装置において、前記処理装置（４）または前記載置台（５）の背面に凹凸が無いか又は凹凸があっても１ｃｍ以下であることを特徴とする超音波診断装置。
【請求項１９】
請求項１から請求項１８のいずれかに記載の超音波診断装置において、前記処理装置（４）または前記載置台（５）は、転倒防止脚（１６）を有することを特徴とする超音波診断装置。
【請求項２０】
請求項１から請求項１９のいずれかに記載の超音波診断装置において、前記画像表示装置（３）は、前記処理装置（４）に沿った支柱（１９）から延びたアーム（１７）または前記処理装置（４）から延びたアーム（１７）に支持されていることを特徴とする超音波診断装置。
【請求項２１】
請求項２０に記載の超音波診断装置において、前記アーム（１７）は、回転または伸縮しうることを特徴とする超音波診断装置。
【請求項２２】
請求項１から請求項２１のいずれかに記載の超音波診断装置において、前記操作装置（１）および前記処理装置（４）は、相互に無線通信するための無線通信手段（１ａ）および（４ａ）を有することを特徴とする超音波診断装置。
【請求項２３】
請求項１から請求項２２のいずれかに記載の超音波診断装置において、前記操作装置（１）は、キャスター付きの移動台（１８）上に設置されていることを特徴とする超音波診断装置。
【発明の詳細な説明】
【技術分野】
【０００１】
本発明は、超音波診断装置に関し、さらに詳しくは、プローブのケーブルが患者に接触し不快感を与えるのを防止することが出来る超音波診断装置に関する。
【背景技術】
【０００２】
従来の超音波診断装置では、操作者が指示を入力するための操作装置と、超音波の送受信を行うためのプローブと、超音波画像を表示するための画像表示装置と、プローブを駆動し得られた受信信号を基に超音波画像を作成し表示する制御を行うための処理装置とが一体的に移動可能な構造になっており、プローブのケーブルは操作装置の下にあるプローブケーブル収納装置から引き出されるようになっている（例えば、特許文献１参照。）。
【特許文献１】特開２００４−４９５８８号公報
【発明の開示】
【発明が解決しようとする課題】
【０００３】
従来の超音波診断装置において、操作者が座った状態でも操作可能になるように考えると、操作装置の上面の高さは１００ｃｍ程度以下になる。従って、プローブのケーブルがプローブケーブル収納装置から引き出される高さは９５ｃｍ程度以下になる。
一方、患者が寝るベッドの高さが例えば６０ｃｍであり、患者の体厚が例えば２５ｃｍであることは有り得るので、患者の体表までの高さが８５ｃｍとなることは有り得る。
すると、プローブのケーブルがプローブケーブル収納装置から引き出される高さを最高の９５ｃｍとしても、患者の体表までの余裕は１０ｃｍしかなく、ケーブルが弛むと、ケーブルが患者に接触し不快感を与える畏れがある問題点がある。
そこで、本発明の目的は、プローブのケーブルが患者に接触し不快感を与えるのを防止することが出来る超音波診断装置を提供することにある。
【課題を解決するための手段】
【０００４】
第１の観点では、本発明は、操作者が指示を入力するための操作装置（１）と、超音波の送受信を行うためのプローブ（２）と、超音波画像を表示するための画像表示装置（３）と、前記指示に基づいて前記プローブ（１）を駆動し得られた受信信号を基に前記超音波画像を作成し前記画像表示装置（３）に表示する制御を行うための処理装置（４）とを具備し、前記操作装置（１）は、前記処理装置（４）と別体であり、前記処理装置（４）は、設置台（５）の上に載っているか又は床面（Ｆ）に置かれ、前記処理装置（４）または前記設置台（５）の内部に前記プローブ（２）のケーブル（６）を収容するケーブル収容空間（５ａ）を設けると共に床面（Ｆ）から高さ１２０ｃｍ以上の位置に開口部（５ｂ）が設けられ、前記プローブ（２）のケーブル（６）は、前記開口部（５ｂ）から前記ケーブル収容空間（５ａ）に収容されていることを特徴とする超音波診断装置を提供する。
上記第１の観点による超音波診断装置では、操作装置（１）と処理装置（４）とが別体であるため、操作装置（１）の高さに左右されずに、処理装置（４）を載置台（５）の上に載せたり、処理装置（４）の背の高さを高くすることが出来る。このため、処理装置（４）または載置台（５）の内部にケーブル収容空間（５ａ）を設けると共に床面（Ｆ）から高さ１２０ｃｍ以上の位置にケーブル収容空間（５ａ）の開口部（５ｂ）を設けることが出来る。従って、ベッド（Ｂ）に寝た患者より十分高い位置からケーブル（６）が出入りすることになり、ケーブル（６）が患者に接触して不快感を与えるのを防止できる。
【０００５】
第２の観点では、本発明は、前記第１の観点による超音波診断装置において、前記処理装置（４）の前記開口部（５ｂ）より上の位置にプローブコネクタ（９）が設けられていることを特徴とする超音波診断装置を提供する。
上記第２の観点による超音波診断装置では、開口部（５ｂ）より上の位置にプローブコネクタ（９）が設けられているから、ケーブル（６）が邪魔にならずに、ケーブル（６）のケーブルコネクタ（６ａ）を処理装置（４）のプローブコネクタ（９）に着脱することが出来る。
【０００６】
第３の観点では、本発明は、前記第２の観点による超音波診断装置において、前記ケーブル（６）は、前記開口部（５ｂ）からＵ字状に曲がって前記ケーブル収容空間（５ａ）に収容されていることを特徴とする超音波診断装置を提供する。
上記第３の観点による超音波診断装置では、小さな曲率でケーブル（６）が曲げられる部分が、Ｕ字状の下端の１カ所だけで済むので、ケーブル（６）を傷めなくて済む。
【０００７】
第４の観点では、本発明は、前記第３の観点による超音波診断装置において、動滑車（１０）が、前記ケーブル（６）のＵ字状の下端に掛けられていることを特徴とする超音波診断装置を提供する。
上記第４の観点による超音波診断装置では、動滑車（１０）の半径（例えば５ｍｍ以上）より小さな曲率でケーブル（６）が曲がることを防止できる。
【０００８】
第５の観点では、本発明は、前記第４の観点による超音波診断装置において、前記動滑車（１０）は、上下移動可能にレール（１２）に保持されていることを特徴とする超音波診断装置を提供する。
上記第５の観点による超音波診断装置では、動滑車（１０）がレール（１２）に保持されながら上下移動するので、安定性・信頼性を向上できる。
【０００９】
第６の観点では、本発明は、操作者が指示を入力するための操作装置（１）と、超音波の送受信を行うためのプローブ（２）と、超音波画像を表示するための画像表示装置（３）と、前記指示に基づいて前記プローブ（１）を駆動し得られた受信信号を基に前記超音波画像を作成し前記画像表示装置（３）に表示する制御を行うための処理装置（４）とを具備し、前記処理装置（４）は、設置台（５）の上に載っているか又は床面（Ｆ）に置かれ、前記処理装置（４）または前記設置台（５）の内部に前記プローブ（２）のケーブル（６）を収容するケーブル収容空間（５ａ）が設けられ、前記ケーブル収容空間（５ａ）の開口部（５ｂ）より上の位置にプローブコネクタ（９）が設けられ、前記プローブ（２）のケーブル（６）は、前記開口部（５ｂ）からＵ字状に曲がって前記ケーブル収容空間（５ａ）に収容されており、前記ケーブル（６）のＵ字状の下端に動滑車（１０）が掛けられており、前記動滑車（１０）は上下移動可能にレール（１２）に保持されていることを特徴とする超音波診断装置を提供する。
上記第６の観点による超音波診断装置では、操作装置（１）と処理装置（４）とが別体であるため、操作装置（１）の高さに左右されずに、処理装置（４）を載置台（５）の上に載せたり、処理装置（４）の背の高さを高くすることが出来る。このため、処理装置（４）または載置台（５）の内部にケーブル収容空間（５ａ）を設けることが出来る。従って、ベッド（Ｂ）に寝た患者より十分高い位置からケーブル（６）が出入りすることが可能になり、ケーブル（６）が患者に接触して不快感を与えるのを防止できる。また、開口部（５ｂ）より上の位置にプローブコネクタ（９）が設けられているから、ケーブル（６）が邪魔にならずに、ケーブル（６）のケーブルコネクタ（６ａ）を処理装置（４）のプローブコネクタ（９）に着脱することが出来る。また、小さな曲率でケーブル（６）が曲げられる部分が、Ｕ字状の下端の１カ所だけで済むので、ケーブル（６）を傷めなくて済む。また、動滑車（１０）の半径（例えば５ｍｍ以上）より小さな曲率でケーブル（６）が曲がることを防止できる。さらに、動滑車（１０）がレール（１２）に保持されながら上下移動するので、安定性・信頼性を向上できる。
【００１０】
第７の観点では、本発明は、前記第４から第６のいずれか観点による超音波診断装置において、前記動滑車（１０）は、重り（１１）により下向き付勢されていることを特徴とする超音波診断装置を提供する。
上記第７の観点による超音波診断装置では、重り（１１）が、ケーブル（６）をケーブル収容空間（５ａ）に円滑に引き込む力となる。
【００１１】
第８の観点では、本発明は、前記第４から第７のいずれかの観点による超音波診断装置において、前記動滑車（１０）から前記ケーブル（６）が外れるのを防止するケーブルロック（１３）が設置されていることを特徴とする超音波診断装置を提供する。
上記第８の観点による超音波診断装置では、動滑車（１０）からケーブル（６）が外れるのを防止でき、安定性・信頼性を向上できる。
【００１２】
第９の観点では、本発明は、前記第８の観点による超音波診断装置において、前記ケーブルロック（１３）は、回動可能なレバー状部材からなることを特徴とする超音波診断装置を提供する。
上記第９の観点による超音波診断装置では、簡単な構造で、動滑車（１０）からケーブル（６）が外れるのを防止できる。
【００１３】
第１０の観点では、本発明は、前記第８または第９の観点による超音波診断装置において、前記処理装置（４）または前記載置台（５）の床面（Ｆ）から高さ１２０ｃｍ以下の部分に、上下スライドして内部にアクセス可能にするカバー（１４）を設けたことを特徴とする超音波診断装置を提供する。
上記第１０の観点による超音波診断装置では、カバー（１４）を上下スライドさせて、処理装置（４）または載置台（５）の床面（Ｆ）から高さ１２０ｃｍ以下の内部にアクセスできるので、保守作業を行い易くなる。
【００１４】
第１１の観点では、本発明は、前記第１０の観点による超音波診断装置において、前記ケーブルロック（１３）を解除した状態では前記動滑車（１０）に対して前記ケーブル（６）を着脱可能であることを特徴とする超音波診断装置を提供する。
上記第１１の観点による超音波診断装置では、使用しないプローブ（２）を処理装置（４）から外す際にそのケーブル（６）を動滑車（１０）から外したり、次に使用するプローブ（２）を処理装置（４）に取り付ける際にそのケーブル（６）を動滑車（１０）に装着することが可能になる。
【００１５】
第１２の観点では、本発明は、前記第１０または第１１の観点による超音波診断装置において、前記レール（１２）の床面から高さ６０ｃｍ以上の位置で前記動滑車（１０）を止めるための動滑車ロック（１５）が設置されていることを特徴とする超音波診断装置を提供する。
上記第１２の観点による超音波診断装置では、ケーブル（６）を外した動滑車（１０）を、床面から高さ６０ｃｍ以上の位置に止めて置くことが出来るので、その動滑車（１０）に次に使用するプローブ（２）のケーブル（６）を装着する際の作業が行い易くなる。
【００１６】
第１３の観点では、本発明は、前記第１２の観点による超音波診断装置において、前記動滑車ロック（１５）は、シーソー状に動いて姿勢を変えるシーソー状部材からなることを特徴とする超音波診断装置を提供する。
上記第１３の観点による超音波診断装置では、簡単な構造で、動滑車（１０）が下がるのを止めることが出来る。
【００１７】
第１４の観点では、本発明は、前記第１から第１３のいずれかの観点による超音波診断装置において、前記ケーブル収容空間（５ａ）への前記ケーブル（６）の出入りを止めるケーブルストッパ（７）が設けられていることを特徴とする超音波診断装置を提供する。
上記第１４の観点による超音波診断装置では、操作者の意に反してケーブル（６）が開口部（５ｂ）から出たり、ケーブル収容空間（５ａ）に引き込まれたりすることを防止できる。
【００１８】
第１５の観点では、本発明は、前記第１４の観点による超音波診断装置において、前記ケーブルストッパ（７）は、前記ケーブル（６）の外径より狭い隙間のスリット（７ａ）であることを特徴とする超音波診断装置を提供する。
上記第１５の観点による超音波診断装置では、スリット（７ａ）にケーブル（６）を挟み込むことで、ケーブル（６）の弾性により、ケーブル（６）を係止することが出来る。構造も簡単で済む。
【００１９】
第１６の観点では、本発明は、前記第１から第１５のいずれかの観点による超音波診断装置において、前記開口部（５ｂ）に前記ケーブル（６）の下面に当たりうるローラ（８）が設けられていることを特徴とする超音波診断装置を提供する。
上記第１６の観点による超音波診断装置では、開口部（５ｂ）からのケーブル（６）の出入りが、ローラ（８）により、円滑になる。
【００２０】
第１７の観点では、本発明は、前記第１から前記第１６のいずれかの観点による超音波診断装置において、前記処理装置（４）または前記載置台（５）の床面（Ｆ）から高さ７０ｃｍ以下の部分の厚さが１０ｃｍ以下であることを特徴とする超音波診断装置を提供する。
上記第１７の観点による超音波診断装置では、床面（Ｆ）から高さ７０ｃｍ以下の部分の厚さが１０ｃｍ以下である載置台（５）の上に処理装置（４）が載せられるか又は床面（Ｆ）に処理装置（４）が置かれる場合は床面（Ｆ）から高さ７０ｃｍ以下の処理装置（４）の部分の厚さが１０ｃｍ以下であるため、ベッド（Ｂ）と壁（Ｗ）の隙間を例えば１１ｃｍとすれば、壁（Ｗ）に沿って処理装置（４）を設置することが出来る。なお、通常のベッド（Ｂ）の高さは７０ｃｍ未満である。これらにより、操作者の居る側の空間が従来より広くなり、超音波診断装置を設置する部屋のスペースを有効に利用することが出来る。
【００２１】
第１８の観点では、本発明は、前記第１から前記第１７のいずれかの観点による超音波診断装置において、前記処理装置（４）または前記載置台（５）の背面に凹凸が無いか又は凹凸があっても１ｃｍ以下であることを特徴とする超音波診断装置を提供する。
上記第１８の観点による超音波診断装置では、処理装置（４）または載置台（５）の背面が実質的に平坦であるので、ほとんど隙間を作らずに壁（Ｗ）に沿って処理装置（４）を設置することが出来る。
【００２２】
第１９の観点では、本発明は、前記第１から前記第１８のいずれかの観点による超音波診断装置において、前記処理装置（４）または前記載置台（５）は、転倒防止脚（１６）を有することを特徴とする超音波診断装置を提供する。
上記第１９の観点による超音波診断装置では、処理装置（４）または載置台（５）の厚さ方向の接地面の長さが１０ｃｍ以下であっても、転倒防止脚（１６）により、処理装置（４）または載置台（５）の転倒を防止することが出来る。
【００２３】
第２０の観点では、本発明は、前記第１から前記第１９のいずれかの観点による超音波診断装置において、前記画像表示装置（３）は、前記処理装置（４）に沿った支柱（１９）から延びたアーム（１７）または前記処理装置（４）から延びたアーム（１７）に支持されていることを特徴とする超音波診断装置を提供する。
上記第２０の観点による超音波診断装置では、処理装置（４）に沿った支柱（１９）から延びたアーム（１７）または処理装置（４）から延びたアーム（１７）に画像表示装置（３）が支持されているので、ベッド（Ｂ）に対して操作者の居る側の空間が画像表示装置（３）の支持のために占有されることがなくなる。これにより、操作者の居る側の空間が従来より広くなり、超音波診断装置を設置する部屋のスペースを有効に利用することが出来る。
【００２４】
第２１の観点では、本発明は、前記第２０の観点による超音波診断装置において、前記アーム（１７）は、回転または伸縮しうることを特徴とする超音波診断装置を提供する。
上記第２１の観点による超音波診断装置では、アーム（１７）を回転または伸縮させることで、画像表示装置（３）の空間位置や向きを変えることが出来る。
【００２５】
第２２の観点では、本発明は、前記第１から前記第２１のいずれかの観点による超音波診断装置において、前記操作装置（１）および前記処理装置（４）は、相互に無線通信するための無線通信手段（１ａ）および（４ａ）を有することを特徴とする超音波診断装置を提供する。
上記第２２の観点による超音波診断装置では、操作装置（１）と処理装置（４）とを接続するワイヤーを無くすことが出来るため、操作装置（１）を自由に移動させることが出来る。
【００２６】
第２３の観点では、本発明は、前記第１から第２２のいずれかに記載の超音波診断装置において、前記操作装置（１）は、キャスター付きの移動台（１８）上に設置されていることを特徴とする超音波診断装置を提供する。
上記第２３の観点による超音波診断装置では、移動台（１８）を移動させることによって操作装置（１）の位置を自由に変えることが出来る。
【発明の効果】
【００２７】
本発明の超音波診断装置によれば、操作装置（１）の高さに左右されずに、処理装置（４）を載置台（５）の上に載せたり、処理装置（４）の背の高さを高くすることが出来る。このため、処理装置（４）または載置台（５）の内部にケーブル収容空間（５ａ）を設けると共に床面（Ｆ）から高い位置にケーブル収容空間（５ａ）の開口部（５ｂ）を設けることが出来る。従って、ベッド（Ｂ）に寝た患者より十分高い位置からケーブル（６）が出入りすることになり、ケーブル（６）が患者に接触して不快感を与えるのを防止できる。
【発明を実施するための最良の形態】
【００２８】
以下、図に示す実施の形態により本発明をさらに詳細に説明する。なお、これにより本発明が限定されるものではない。
【実施例１】
【００２９】
図１は、実施例１に係る超音波診断装置１００を示す一部破断側面図である。図２は、超音波診断装置１００を示す正面図である。図３は、超音波診断装置１００を示す平面図である。
【００３０】
この超音波診断装置１００は、操作者が指示を入力するための操作装置１と、超音波の送受信を行うためのプローブ２と、超音波画像を表示するための画像表示装置３と、操作者の指示に基づいてプローブ１を駆動し得られた受信信号を基に超音波画像を作成し画像表示装置３に表示する制御を行うための処理装置４とを具備して基本的になっている。
【００３１】
操作装置１は、処理装置４と別体であり、キャスター付きの移動台１８上に設置され、ベッドＢに対して操作者の座るイスＡが置かれた側に置かれている。
また、操作装置１は、処理装置４と無線通信するための無線通信部１ａを有している。
【００３２】
処理装置４は、ベッドＢと壁Ｗの間に置かれた載置台５上に固定されている。
また、処理装置４は、操作装置１と無線通信するための無線通信部４ａや、プローブ２のケーブルコネクタ６ａを結合するためのプローブコネクタ９を有している。
【００３３】
処理装置４および載置台５の背面は、凹凸が無いか又は凹凸があっても１ｃｍ以下であり、実質的に平坦になっている。
【００３４】
載置台５の高さは、１５０ｃｍである。
載置台５の高さＨ＝１００ｃｍまでの部分は、厚さＴ＝１０ｃｍになっている。また、載置台５の高さ１００ｃｍ〜１３０ｃｍの範囲は突出部になっており、その突出部の厚さは２０ｃｍになっている。
【００３５】
載置台５の内部は、プローブ２のケーブル６を収容するケーブル収容空間５ａになっている。載置台５のカバー１４を下方にスライドさせると、載置台５の高さＨ＝６５ｃｍ〜１００ｃｍの範囲の内部が露出し、操作者がケーブル収容空間５ａにアクセルすることが出来る。
【００３６】
さらに、載置台５は、転倒防止脚１６を有している。なお、転倒防止脚１６を床面Ｆにアンカーボルトで固定するのが好ましい。
【００３７】
画像表示装置３は、処理装置４および載置台５の側面に固定された支柱１９から延びたアーム１７に支持されている。
【００３８】
アーム１７は、支柱１９から水平に延びた第１水平アーム１７ａと、その第１水平アーム１７ａから水平に延びた第２アーム１７ｂと、その第２アーム１７ｂから垂直に延びた上下アーム１７ｃとからなる。
第１水平アーム１７ａは、支柱１９との接続部で水平方向に回動する。また、第２水平アーム１７ｂは、第１水平アーム１７ａとの接続部で水平方向に回動する。
上下アーム１７ｃは、長さが可変であると共に、第２水平アーム１７ｂとの接続部で水平方向に回転する。上下アーム１７ｃの下端は、画像表示装置３を垂直面内で回転しうる接続部になっている。
【００３９】
図４および図５に示すように、載置台５の突出部の高さ１２０ｃｍ〜１３０ｃｍの範囲は開口部５ｂになっている。
プローブ２のケーブル６は、Ｕ字状に曲がって、開口部５ｂからケーブル収容空間５ａに収容されている。
【００４０】
開口部５ｂには、ケーブルストッパ７が設けられている。
ケーブルストッパ７は、ケーブル６の外径より狭い隙間のスリット７ａであり、このスリット７ａにケーブル６を挟むことで、ケーブル６の弾性によりケーブル６を係止しうる。
また、開口部５ｂには、ケーブル６の下面に当たりうるローラ８が設けられている。
【００４１】
図６は、カバー１４を下方にスライドし、載置台５の高さＨ＝６５ｃｍ〜１００ｃｍの範囲の内部を露出させた状態である。
ケーブル６のＵ字状の下端には、例えば直径１０ｍｍ以上の動滑車１０が掛けられている。
動滑車１０は、載置台５の背面に垂直に固定されたレール１２に、ホルダ１０ａを介して上下移動可能に保持されている。
また、動滑車１０は、重り１１により下向き付勢されている。
【００４２】
動滑車１０には、ケーブルロック１３が設置されている。
ケーブルロック１３は、回動可能なレバー状部材からなる。
【００４３】
レール１２の床面Ｆから高さ７０ｃｍの位置には、動滑車ロック１５が設置されている。
動滑車ロック１５は、シーソー状に動いて姿勢を変えるシーソー状部材である。
【００４４】
図７〜図９は、ケーブル６を動滑車１０から外す手順を示している。
カバー１４を下方にスライドし、載置台５の高さＨ＝６５ｃｍ〜１００ｃｍの範囲の内部を露出させた状態で、ケーブル６を引き出し、図７に示すように、動滑車１０を動滑車ロック１５より上の位置まで上昇させる。
次に図８に示すように、動滑車ロック１５を突出させ、動滑車１５を下げて、動滑車ロック１５に動滑車１５を載せる。
次に図９に示すように、指でケーブルロック１３を回して上げてからケーブル６を外す。
【００４５】
ケーブル６に動滑車１０を掛ける手順は、ケーブル６を動滑車１０から外す手順の逆である。
【００４６】
実施例１に係る超音波診断装置１００によれば次の効果が得られる。
（ａ）操作装置１と処理装置４とが別体であるため、操作装置１の高さに左右されずに、処理装置４を載置台５の上に載せることが出来る。このため、載置台５の内部にケーブル収容空間５ａを設けると共に床面Ｆから高さ１２０ｃｍ以上の位置にケーブル収容空間５ａの開口部５ｂを設けることが出来る。従って、ベッドＢに寝た患者より十分高い位置からケーブル６が出入りすることになり、ケーブル６が患者に接触して不快感を与えるのを防止できる。
（ｂ）載置台５の内部にプローブ２のケーブル６を収容しうるので、ケーブル６が邪魔になるのを防止できる。
（ｃ）ケーブルストッパ７が設けられているので、操作者の意に反してケーブル６が開口部５ｂから出たり、ケーブル収容空間５ａに引き込まれたりすることを防止できる。
（ｄ）スリット７ａにケーブル６を挟み込むことで、ケーブル６の弾性により、ケーブル６を係止することが出来る。
（ｅ）開口部５ｂからのケーブル６の出入りが、ローラ８により、円滑になる。
【００４７】
（ｆ）開口部５ｂより上の位置にプローブコネクタ９が設けられているから、ケーブル６が邪魔にならずに、ケーブル６のケーブルコネクタ６ａをプローブコネクタ９に着脱することが出来る。
【００４８】
（ｇ）ケーブル６は、開口部５ｂからＵ字状に曲がってケーブル収容空間５ａに収容されているから、ケーブル６が曲げられる部分が、Ｕ字状の下端の１カ所だけで済み、ケーブル６を傷めなくて済む。
（ｈ）動滑車１０により、動滑車１０の半径（例えば５ｍｍ以上）より小さな曲率でケーブル６が曲がることを防止できる。
（ｉ）動滑車１０に付けられた重り１１が、ケーブル６をケーブル収容空間５ａに円滑に引き込む力となる。
（ｊ）動滑車１０がレール１２に保持されながら上下移動するので、安定性・信頼性を向上できる。
（ｋ）ケーブルロック１３が設置されているから、動滑車１０からケーブル６が外れるのを防止でき、安定性・信頼性を向上できる。
【００４９】
（ｌ）カバー１４を上下スライドさせて、載置台５の床面Ｆから高さ１２０ｃｍ以下の内部にアクセスできるので、保守作業を行い易くなり、プローブ２のケーブル６を動滑車１０から外したり、ケーブル６を動滑車１０に装着することが可能になる。
（ｍ）動滑車ロック１５が設置されているから、ケーブル６を外した動滑車１０を、床面から高さ６０ｃｍ以上の位置に止めて置くことが出来る。これにより、動滑車１０にプローブ２のケーブル６を装着する際の作業が行い易くなる。
【００５０】
（ｍ）操作装置１と処理装置４とが別体であるため、患者が寝ているベッドＢに対して操作者が居る側に操作装置１を置き、ベッドＢの向こう側に処理装置４を置くことが出来る。また、ベッドＢと壁Ｗの隙間を例えば１１ｃｍとすれば、壁Ｗに沿って処理装置４を設置することが出来る。これらにより、操作者の居る側の空間が従来より広くなり、超音波診断装置１００を設置する部屋のスペースを有効に利用することが出来る。
（ｎ）処理装置４または載置台５の背面が実質的に平坦であるので、ほとんど隙間を作らずに壁Ｗに沿って処理装置４を設置することが出来る。
（ｏ）載置台５の厚さ方向の接地面の長さが１０ｃｍ以下であるが、転倒防止脚１６により、転倒を防止することが出来る。
【００５１】
（ｐ）移動台１８を移動させることによって、操作装置１の位置を容易に変えることが出来る。
（ｑ）操作装置１と処理装置４とを接続するワイヤーを無くすことが出来るため、操作装置１を自由に移動させることが出来る。
【００５２】
（ｒ）処理装置４に沿った支柱１９から延びたアーム１７に画像表示装置３が支持されているので、ベッドＢに対して操作者の居る側の空間が画像表示装置３の支持のために占有されることがなくなる。これにより、操作者の居る側の空間が従来より広くなり、超音波診断装置を設置する部屋のスペースを有効に利用することが出来る。
（ｓ）アーム１７を回転または伸縮させることで、画像表示装置３の空間位置や向きを変えることが出来る。
【実施例２】
【００５３】
図１０は、実施例２に係る超音波診断装置２００を示す正面図である。
この超音波診断装置２００では、実施例１の載置台５および支柱１９を処理装置４に一体化している。
【産業上の利用可能性】
【００５４】
本発明の超音波診断装置は、据付型の超音波診断装置として利用できる。
【図面の簡単な説明】
【００５５】
【図１】実施例１に係る超音波診断装置を示す一部破断側面図である。
【図２】実施例１に係る超音波診断装置を示す正面図である。
【図３】実施例１に係る超音波診断装置を示す平面図である。
【図４】開口部付近の一部破断拡大側面図である。
【図５】開口部付近の一部破断拡大正面図である。
【図６】動滑車付近の拡大側面図である。
【図７】動滑車ロック付近の拡大側面図である（動滑車ロックを解除した状態）。
【図８】動滑車ロック付近の拡大側面図である（動滑車ロックが作動した状態）。
【図９】ケーブルロックを解除した状態を示す拡大側面図である。
【図１０】実施例２に係る超音波診断装置を示す正面図である。
【符号の説明】
【００５６】
１                  操作装置
１ａ                無線通信部
２                  プローブ
３                  画像表示装置
４                  処理装置
４ａ                無線通信部
５                  載置台
５ａ                開口部
５ｂ                ケーブル収容空間
６                  ケーブル
６ａ                ケーブルコネクタ
７                  ケーブルストッパ
７ａ                スリット
８                  ローラ
９                  プローブコネクタ
１０                動滑車
１１                重り
１２                レール
１３                ケーブルロック
１４                カバー
１５                動滑車ロック
１６                転倒防止脚
１７                アーム
１８                移動台
１９                支柱
１００，２００      超音波診断装置
Ａ                  イス
Ｂ                  ベッド
Ｆ                  床面
Ｗ                  壁
【図１】
2009056210.tif 000003
【図２】
2009056210.tif 000004
【図３】
2009056210.tif 000005
【図４】
2009056210.tif 000006
【図５】
2009056210.tif 000007
【図６】
2009056210.tif 000008
【図７】
2009056210.tif 000009
【図８】
2009056210.tif 000010
【図９】
2009056210.tif 000011
【図１０】
2009056210.tif 000012